(57)【特許請求の範囲】
【請求項１】
スイッチの位置に応じて異なる抵抗値を選択する可変抵抗器と、前記可変抵抗器が選択した抵抗値に対応した直流電圧値をディジタル値に変換するＡ／Ｄ変換手段と、チャネル設定値に対応したチャネル信号を記憶する記憶手段と、前記Ａ／Ｄ変換手段から供給されるディジタル値に基づいて前記記憶手段からチャネル設定値に対応したチャネル信号を読み出して出力する制御手段とを有して構成しており、前記制御手段は、前記Ａ／Ｄ変換手段から供給されるディジタル値とチャネル設定値の上限値及び下限値との偏差を演算する演算手段を備え、ディジタル値が上限値を下回り、かつ下限値を上回る場合には、前記記憶手段にチャネル設定値を提供し、チャネル設定値に対応したチャネル信号を読み出して出力することを特徴とするチャネルスイッチ。
【請求項２】
チャネルスイッチのチャネル選定方法であって、スイッチの位置に応じて異なる抵抗値を可変抵抗器で選択するステップと、前記可変抵抗器が選択した抵抗値に対応した直流電圧値をＡ／Ｄ変換手段によりディジタル値に変換するステップと、チャネル設定値に対応したチャネル信号を記憶手段により記憶するステップと、前記Ａ／Ｄ変換手段から供給されるディジタル値とチャネル値の上限値と下限値との偏差を演算手段より演算するステップと、前記ディジタル値が上限値を下回り、かつ下限値を上回る場合には、前記記憶手段にチャネル設定値を提供し、チャネル設定値に対応したチャネル信号を読み出して出力するステップとを備えたことを特徴とするチャネルスイッチのチャネル設定方法。
【発明の詳細な説明】
【０００１】
【発明の属する技術分野】
本発明は無線機等のチャネルを選定するボリュームを用いたチャネルスイッチに係り、特にチャネル選定位置でボリューム端子から出力される直流電圧に基づいて電子的にチャネル信号を発生するチャネルスイッチに関する。
【０００２】
【従来の技術】
従来のチャネルスイッチにおいて、機械的な接点を２個以上有するスイッチを用い、スイッチの設定位置によって出力される設定位置数分の出力を持ち、それぞれ「１」または「０」の信号をチャネル設定情報として認識し、チャネル設定を実行するものが知られている。このチャネルスイッチは、１つの設定位置が選択されて「０」になる場合、他の設定位置は「１」となるように構成される。
【０００３】
また、従来のチャネルスイッチにおいて、機械的な接点または電気的な接点により、チャネルスイッチの操作つまみの位置を２値以上のディジタル出力に変換し、ＣＰＵに伝達してチャネルを切り替えるように構成されたものが知られている。
【０００４】
さらに、無線機本体のチャネル制御用回路とチャネル切替え制御用回路との間のシリアル信号を用いたチャネル切替え情報の送受信によってチャネルを切り替えるように構成されたチャネルスイッチも知られている。
【０００５】
【発明が解決しようとする課題】
機械的な接点を２個以上有し、「１」または「０」の信号をチャネル設定情報として認識し、チャネル設定する従来のチャネルスイッチは、チャネル切替えを遠隔操作で実行する場合、チャネル切替え数の接続線が多く必要となり、配線に課題がある。
【０００６】
また、チャネルスイッチの操作つまみの位置を２値以上のディジタル出力に変換する従来のチャネルスイッチは、機械的に複雑となり、耐久性が劣化する課題があるとともに、チャネル数が多いほど接続線は少なくなるが、依然として複数の接続線が必要となる課題がある。
【０００７】
さらに、シリアル信号を用いたチャネル切替え情報の送受信によってチャネルを切り替える従来のチャネルスイッチは、チャネル切替え制御用回路側にも、ＣＰＵ等のシリアル信号伝送回路が必要となり、回路構成が複雑になる課題がある。
【０００８】
この発明はこのような課題を解決するためになされたもので、その目的は接続線が少ない単純な構成で、高精度にチャネル設定が可能なチャネルスイッチを提供することにある。
【０００９】
【課題を解決するための手段】
前記課題を解決するためこの発明に係るチャネルスイッチは、スイッチの位置に応じて異なる抵抗値を選択する可変抵抗器と、可変抵抗器が選択した抵抗値に対応した直流電圧値をディジタル値に変換するＡ／Ｄ変換手段と、チャネル設定値に対応したチャネル信号を記憶する記憶手段と、Ａ／Ｄ変換手段から供給されるディジタル値に基づいて記憶手段からチャネル設定値に対応したチャネル信号を読み出して出力する制御手段とを有して構成しており、制御手段は、Ａ／Ｄ変換手段から供給されるディジタル値とチャネル設定値の上限値及び下限値との偏差を演算する演算手段を備え、ディジタル値が上限値を下回り、かつ下限値を上回る場合には、記憶手段にチャネル設定値を提供し、チャネル設定値に対応したチャネル信号を読み出して出力することを特徴とする。
【００１０】
この発明に係るチャネルスイッチは、スイッチの位置に応じて異なる抵抗値を選択する可変抵抗器と、可変抵抗器が選択した抵抗値に対応した直流電圧値をディジタル値に変換し、このディジタル値に基づいて予め設定したチャネル設定値に対応したチャネル信号を選択するチャネル信号選択手段を備えたので、スイッチのチャネル設定位置を対応するチャネル信号で出力し、２本の接続線でチャネルを選定することができ、接続線が少ない単純な構成で、高精度にチャネル設定をすることができる。
【００１２】
また、この発明によれば、抵抗値の直流電圧値、直流電圧値をＡ／Ｄ変換したディジタル値、チャネル毎のチャネル設定値およびチャネル選定の対象となる機器（または装置）のチャネル信号を設定するだけでチャネル信号を出力することができる。
【００１４】
また、この発明に係る制御手段は、Ａ／Ｄ変換手段から供給されるディジタル値とチャネル設定値の上限値および下限値との偏差を演算する演算手段を備え、ディジタル値が上限値を下回り、かつ下限値を上回る場合には、記憶手段にチャネル設定値を提供し、チャネル設定値に対応したチャネル信号を読み出して出力するので、チャネル設定値の上限値および下限値を設定して単純な演算をすることによりチャネル設定値の選択範囲を広げることができ、可変抵抗器やスイッチ構造にバラツキがあっても、バラツキを吸収してチャネル選定の安定性を向上させることができる。
【００１７】
さらに、この発明に係るチャネルスイッチのチャネル選定方法は、スイッチの位置に応じて異なる抵抗値を可変抵抗器で選択するステップと、可変抵抗器が選択した抵抗値に対応した直流電圧値をＡ／Ｄ変換手段によりディジタル値に変換するステップと、チャネル設定値に対応したチャネル信号を記憶手段により記憶するステップと、Ａ／Ｄ変換手段から供給されるディジタル値とチャネル値の上限値と下限値との偏差を演算手段より演算するステップと、ディジタル値が上限値を下回り、かつ下限値を上回る場合には、記憶手段にチャネル設定値を提供し、チャネル設定値に対応したチャネル信号を読み出して出力するステップとを備えたことを特徴とする。
【００１８】
この発明に係るチャネルスイッチのチャネル選定方法は、スイッチ位置に対応した直流電圧値を出力するステップ（Ｓ１）と、直流電圧値をディジタル値に変換するステップ（Ｓ２）と、ディジタル値とチャネル設定値の上限値および下限値を比較するステップ（Ｓ３）と、ディジタル値が上限値と下限値の間にあるか否かを判定するステップ（Ｓ４）と、チャネル設定値に対応したチャネル信号を出力するステップ（Ｓ５）とを備えたので、チャネル設定値の選択範囲を広げることができ、可変抵抗器やスイッチ構造にバラツキがあっても、バラツキを吸収してチャネル選定の安定性を向上させることができる。
【００２１】
【発明の実施の形態】
以下、この発明の実施の形態を添付図面に基づいて説明する。図１はこの発明に係るチャネルスイッチの一実施の形態概略構成図である。図１において、チャネルスイッチ１は、スイッチ２およびチャネル信号選択手段６を備える。
【００２２】
スイッチ２は、図示しないつまみの回転に伴い、回転するシャフト３、抵抗体４ａと抵抗体４ａ上を摺動する摺動子５とからなる可変抵抗器４、抵抗体４ａの両端および摺動子５が接続される端子Ｐ１，Ｐ２，Ｐ３、後述するクリック感を生成するクリック生成手段を備える。なお、摺動子５は、シャフト３の回転に伴って抵抗体４ａ上を摺動し、端子Ｐ１とＰ２間、または端子Ｐ３と端子Ｐ２間の抵抗値が変化し、可変抵抗器４を形成する。
【００２３】
端子Ｐ１および端子Ｐ３間に直流電源を印加し、端子Ｐ１側を直流電圧Ｖｃ、端子Ｐ３側を接地（ＧＮＤ）に設定する。一方、端子Ｐ２には、端子Ｐ１と端子Ｐ３を介して抵抗体４ａに印加された直流電圧Ｖｃを摺動子５の位置で決定される可変抵抗器４の抵抗値で分圧した直流電圧ＶDが端子Ｐ３（ＧＮＤ）との間に発生し、直流電圧ＶDをチャネル信号選択手段６に供給する。なお、スイッチ２は、シャフト３位置に応じて可変抵抗器４の摺動子５により異なる抵抗値を選択する。また、スイッチ２とチャネル信号選択手段６とは、２本の接続線で接続する。
【００２４】
チャネル信号選択手段６は、Ａ／Ｄ変換手段、マイクロプロセッサまたはアナログ回路、メモリ等で構成し、スイッチ２から供給されるチャネル設定位置に対応した直流電圧ＶDをディジタル値に変換し、このディジタル値に基づいて予め設定したチャネル設定値に対応したチャネル信号ＳCを選択する。
【００２５】
チャネル信号選択手段６は、チャネル信号ＳCを図示しないチャネル選定となる対象機器や装置に供給し、対象機器や装置は、チャネル信号ＳCにより、スイッチ２で設定したチャネルを選定する。
【００２６】
このように、この発明に係るチャネルスイッチ１は、スイッチ２の位置に応じて異なる抵抗値を選択する可変抵抗器４と、可変抵抗器４が選択した抵抗値に対応した直流電圧値ＶDをディジタル値に変換し、このディジタル値に基づいて予め設定したチャネル設定値に対応したチャネル信号ＳCを選択するチャネル信号選択手段６を備えたので、スイッチ２のチャネル設定位置を対応するチャネル信号ＳCで出力し、２本の接続線でチャネルを選定することができ、接続線が少ない単純な構成で、高精度にチャネル設定をすることができる。
【００２７】
図２はこの発明に係るチャネル信号選択手段の一実施の形態基本ブロック構成図である。図２において、チャネル信号選択手段６は、Ａ／Ｄ変換手段７、制御手段８、記憶手段９を備える。
【００２８】
Ａ／Ｄ変換手段７は、Ａ／Ｄ変換器で構成し、直流電圧Ｖｃ（例えば、５Ｖ）を任意（例えば、２５６digit）のディジタルに変換し、スイッチ２から供給される直流電圧ＶCを対応するディジタル値ＤCに変換し、ディジタル値ＤCを制御手段８に供給する。
【００２９】
制御手段８は、マイクロプロセッサで構成し、演算手段、判定手段、アクセス手段、シーケンス手段等を備え、Ａ／Ｄ変換手段７から供給されるディジタル値ＤCを記憶手段９に供給し、記憶手段９に記憶されているチャネル設定値ＤSの上限値ＤSMおよび下限値ＤSLを読み出し、それぞれ上限値ＤSMとディジタル値ＤCの偏差、下限値ＤSLとディジタル値ＤCの偏差を演算し、演算した偏差に基づいてディジタル値ＤCに対応して設定したチャネル信号ＳCを読み出して出力する。
【００３０】
図３はこの発明に係る制御手段の一実施の形態要部ブロック構成図である。図３において、制御手段８は、演算手段１０、判定手段１１、アクセス手段１２を備える。
【００３１】
演算手段１０は、減算器１０ａ、減算器１０ｂ、合成手段１０ｃを備え、減算器１０ａにより、記憶手段９から供給されるチャネル設定値ＤSの上限値ＤSMとディジタル値ＤCの偏差（＝ＤSM−ＤC）を演算し、減算器１０ｂにより、チャネル設定値ＤSの下限値ＤSLとディジタル値ＤCの偏差（＝ＤSL−ＤC）を演算し、それぞれ演算結果を合成手段１０ｃに供給する。
【００３２】
合成手段１０ｃは、減算器１０ａおよび減算器１０ｂから供給される演算結果（偏差ＤSM−ＤC、偏差ＤSL−ＤC）がそれぞれ０を超えるか、０を下回るかを合成し、合成信号Ｇ0を判定手段１１に供給する。
【００３３】
判定手段１１は、判定機能を備え、演算手段１０から供給される合成信号Ｇ0を判定し、ディジタル値ＤCが上限値ＤSMを下回り、かつ下限値ＤSLを上回る場合（ＤSL＜ＤC＜ＤSM）には、チャネル設定値ＤSをアクセス手段１２に提供する。
【００３４】
アクセス手段１２は、判定手段１１から提供されるチャネル設定値ＤSを記憶手段９に供給し、記憶手段９にチャネル設定値ＤSに対応付けて記憶されているチャネル信号ＳCを読み出し、チャネル信号ＳCをチャネル選定の対象となる機器（または装置）に対して出力する。
【００３５】
なお、本実施の形態では、チャネル設定値ＤSの上限値ＤSMおよび下限値ＤSL、チャネル信号ＳCを１つのディジタル値ＤCについて説明したが、チャネル選定に必要な数だけ設ける。
【００３６】
記憶手段９は、ＥＥＰＲＯＭ等のメモリで構成し、予めチャネル設定値ＤSの上限値ＤSMおよび下限値ＤSL、チャネル設定値ＤSと対応したチャネル信号ＳCを設定（格納）する。
【００３７】
このように、この発明に係るチャネル信号選択手段６は、抵抗値に対応した直流電圧値ＶDをディジタル値ＤCに変換するＡ／Ｄ変換手段７と、チャネル設定値ＤSに対応したチャネル信号ＳCを記憶する記憶手段９と、Ａ／Ｄ変換手段７から供給されるディジタル値ＤCに基づいて記憶手段９からチャネル設定値ＤSに対応したチャネル信号ＳCを読み出して出力する制御手段８とを備えたので、抵抗値の直流電圧値ＶD、直流電圧値ＶDをＡ／Ｄ変換したディジタル値ＤC、チャネル毎のチャネル設定値ＤSおよびチャネル選定の対象となる機器（または装置）のチャネル信号ＳCを設定するだけでチャネル信号ＳCを出力することができ、高精度にチャネル設定をすることができる。
【００３８】
また、この発明に係る制御手段８は、Ａ／Ｄ変換手段７から供給されるディジタル値ＤCとチャネル設定値ＤSの上限値ＤSMおよび下限値ＤSLとの偏差（ＤSM−ＤC，ＤSL−ＤC）を演算する演算手段１０を備え、ディジタル値ＤCが上限値ＤSMを下回り、かつ下限値ＤSLを上回る場合（ＤSL＜ＤC＜ＤSM）には、記憶手段９にチャネル設定値ＤSを提供し、チャネル設定値ＤSに対応したチャネル信号ＳCを読み出して出力するので、チャネル設定値ＤSの上限値ＤSMおよび下限値ＤSLを設定して単純な演算をすることによりチャネル設定値ＤSの選択範囲を広げることができ、可変抵抗器やスイッチ構造にバラツキがあっても、バラツキを吸収してチャネル選定の安定性を向上させることができる。
【００３９】
図４はこの発明に係るチャネル信号選択手段の別実施の形態基本ブロック構成図である。図４において、チャネル信号選択手段１３は、Ａ／Ｄ変換手段１４、比較手段１５、選択信号出力手段１６を備える。
【００４０】
Ａ／Ｄ変換手段１４は、Ａ／Ｄ変換器で構成し、直流電圧Ｖｃ（例えば、５Ｖ）を任意（例えば、２５６digit）のディジタルに変換し、スイッチ２から供給される直流電圧ＶCを対応するディジタル値ＤCに変換し、ディジタル値ＤCを比較手段１５に供給する。
【００４１】
比較手段１５は、演算増幅器１５ａ、演算増幅器１５ｂ、排他的論理和ゲート１５ｃで構成する。演算増幅器１５ａは、プラス（＋）入力に入力したチャネル設定値ＤSの上限値ＤSMとマイナス（−）入力に入力したディジタル値ＤCを比較し、上限値ＤSMがディジタル値ＤCを超える場合（ＤSM＞ＤC）に、Ｈレベルの比較信号Ｈ01を排他的論理和ゲート１５ｃに供給する。一方、演算増幅器１５ａは、上限値ＤSMがディジタル値ＤC以下の場合（ＤSM≦ＤC）には、Ｌレベルの比較信号Ｈ01を排他的論理和ゲート１５ｃに供給する。
【００４２】
比較手段１５ｂは、マイナス（−）入力に入力したディジタル値ＤCとプラス（＋）入力に入力したチャネル設定値ＤSの下限値ＤSLを比較し、ディジタル値ＤCが下限値ＤSLを超える場合（ＤC＞ＤSL）に、Ｌレベルの比較信号Ｈ02を排他的論理和ゲート１５ｃに供給する。一方、比較手段１５ｂは、ディジタル値ＤCが下限値ＤSL以下の場合（ＤC≦ＤSL）には、Ｈレベルの比較信号Ｈ02を排他的論理和ゲート１５ｃに供給する。
【００４３】
排他的論理和ゲート１５ｃは、排他的論理和（Exclusive OR）を演算し、演算増幅器１５ａから供給されるＨレベルの比較信号Ｈ01と比較手段１５ｂから供給されるＬレベルの比較信号Ｈ02の排他的論理和を演算し、ディジタル値ＤCが下限値ＤSを超え、かつ上限値ＤSMを下回る場合にＨレベルの比較信号Ｈ0を選択信号出力手段１６に供給する。
【００４４】
選択信号出力手段１６は、ディジタル値ＤCに対応したチャネル信号ＳCを記憶し、比較手段１５からＨレベルの比較信号Ｈ0が供給されると、チャネル信号ＳCをチャネル選定の対象となる機器（または装置）に対して出力する。
【００４５】
なお、本実施の形態では、比較手段１５および選択信号出力手段１６をそれぞれ１個で説明したが、チャネル選定に必要な数だけ複数の比較手段および選択信号出力手段を備える。
【００４６】
このように、この発明に係るチャネル信号選択手段１３は、抵抗値に対応した直流電圧値ＶDをディジタル値ＤCに変換するＡ／Ｄ変換手段１４と、Ａ／Ｄ変換手段１４から供給されるディジタル値ＤCとチャネル設定値ＤSの上限値ＤSMおよび下限値ＤSLとを比較する比較手段１５と、ディジタル値ＤCがチャネル設定値ＤSの上限値ＤSMと下限値ＤSLの範囲にある場合（ＤSL＜ＤC＜ＤSM）に、チャネル設定値ＤSに対応したチャネル信号ＳCを出力する選択信号出力手段１６を備えたので、比較手段１５にチャネル設定値ＤSの上限値ＤSMおよび下限値ＤSLを設定するだけで、チャネル設定値ＤSの選択範囲を広げ、チャネル信号ＳCを出力することができ、単純な構成で高精度にチャネル設定をすることができる。
【００４７】
次に、チャネルスイッチのチャネル選定方法について図２および図３を参照して説明する。図５はこの発明に係るチャネルスイッチのチャネル選定方法の一実施の形態要部動作フロー図である。図５において、ステップＳ１では、スイッチ位置に対応した直流電圧値ＶDを出力する。なお、ステップＳ１の動作は、スイッチ２が実行する。
【００４８】
ステップＳ２では、直流電圧値ＶDをディジタル値ＤCに変換する。なお、ステップＳ２の動作は、Ａ／Ｄ変換手段７が実行する。
【００４９】
ステップＳ３では、ディジタル値ＤCとチャネル設定値ＤSの上限値ＤSMおよび下限値ＤSLを比較する。なお、ステップＳ３の動作は、制御手段８（演算手段１０）が実行する。
【００５０】
ステップＳ４では、ディジタル値ＤCが上限値ＤSMと下限値ＤSMの間にあるか否かを判定する。なお、ステップＳ４の動作は、制御手段８（判定手段１１）が実行する。
【００５１】
ステップＳ５では、チャネル設定値ＤSに対応したチャネル信号ＳCを出力する。なお、ステップＳ５の動作は、制御手段８（アクセス手段１２）が実行する。
【００５２】
このように、この発明に係るチャネルスイッチのチャネル選定方法は、スイッチ位置に対応した直流電圧値を出力するステップ（Ｓ１）と、直流電圧値をディジタル値に変換するステップ（Ｓ２）と、ディジタル値とチャネル設定値の上限値および下限値を比較するステップ（Ｓ３）と、ディジタル値が上限値と下限値の間にあるか否かを判定するステップ（Ｓ４）と、チャネル設定値に対応したチャネル信号を出力するステップ（Ｓ５）とを備えたので、チャネル設定値の選択範囲を広げることができ、可変抵抗器やスイッチ構造にバラツキがあっても、バラツキを吸収してチャネル選定の安定性を向上させることができる。
【００５３】
続いて、スイッチのクリック生成機構について説明する。図６はこの発明に係るスイッチの一実施の形態概略構成図である。図６において、スイッチ２は、シャフト３、固定された板に抵抗体４ａ、端子Ｐ１〜Ｐ３を形成し、シャフト３とともに回転する摺動子５を設け、固定された板に抵抗体４ａと摺動子５で可変抵抗器４を形成する。
【００５４】
また、クリック生成手段１７は、シャフト３に固定し、シャフト３とともに回転する１個の突起１８ａを有するチャネル選定板１８と、複数の位置設定穴１９ａを有する固定されたチャネル位置設定板１９との２枚の板材で構成する。
【００５５】
図７はクリック生成手段を構成する２枚の板材を示す。図７において、２枚の板材は、複数の位置設定穴１９ａを有するチャネル位置設定板１９と、１個の突起１８ａを有するチャネル選定板１８で構成する。
【００５６】
位置設定穴１９ａは、チャネル位置設定板１９に設定するチャネル数に相当する数の穴を設ける。一方、突起１８ａは、チャネル選定板１８上に半球状の突起を設け、図８の突起１８ａが位置設定穴１９ａに収容された断面図に示すように、突起１８ａが位置設定穴１９ａに収まる時にクリック感を生成し、設定するチャネル位置となる。
【００５７】
このように、この発明に係るスイッチ２は、摺動子５の位置がチャネル選定位置に達した場合、クリック感を生成するクリック生成手段１７を備えたので、チャネル選定位置で確実にクリック感を生成してチャネル選定位置を設定できるので、チャネル選定位置の安定性を向上させることができる。
【００５８】
【発明の効果】
以上説明したように、この発明に係るチャネルスイッチは、スイッチの位置に応じて異なる抵抗値を選択する可変抵抗器と、可変抵抗器が選択した抵抗値に対応した直流電圧値をディジタル値に変換し、このディジタル値に基づいて予め設定したチャネル設定値に対応したチャネル信号を選択するチャネル信号選択手段を備えたので、スイッチのチャネル設定位置を対応するチャネル信号で出力し、２本の接続線でチャネルを選定することができ、接続線が少ない単純な構成で、高精度にチャネル設定をすることができる。
【００５９】
また、この発明に係るチャネル信号選択手段は、抵抗値に対応した直流電圧値をディジタル値に変換するＡ／Ｄ変換手段と、チャネル設定値に対応したチャネル信号を記憶する記憶手段と、Ａ／Ｄ変換手段から供給されるディジタル値に基づいて記憶手段からチャネル設定値に対応したチャネル信号を読み出して出力する制御手段とを備えたので、抵抗値の直流電圧値、直流電圧値をＡ／Ｄ変換したディジタル値、チャネル毎のチャネル設定値およびチャネル選定の対象となる機器（または装置）のチャネル信号を設定するだけでチャネル信号を出力することができ、高精度にチャネル設定をすることができる。
【００６０】
さらに、この発明に係る制御手段は、Ａ／Ｄ変換手段から供給されるディジタル値とチャネル設定値の上限値および下限値との偏差を演算する演算手段を備え、ディジタル値が上限値を下回り、かつ下限値を上回る場合には、記憶手段にチャネル設定値を提供し、チャネル設定値に対応したチャネル信号を読み出して出力するので、チャネル設定値の上限値および下限値を設定して単純な演算をすることによりチャネル設定値の選択範囲を広げることができ、可変抵抗器やスイッチ構造にバラツキがあっても、バラツキを吸収してチャネル選定の安定性を向上させることができる。
【００６１】
また、この発明に係るチャネル信号選択手段は、抵抗値に対応した直流電圧値をディジタル値に変換するＡ／Ｄ変換手段と、Ａ／Ｄ変換手段から供給されるディジタル値とチャネル設定値の上限値および下限値とを比較する比較手段と、ディジタル値がチャネル設定値の上限値と下限値の範囲にある場合に、チャネル設定値に対応したチャネル信号を出力する選択信号出力手段とを備えたので、比較手段にチャネル設定値の上限値および下限値を設定するだけで、チャネル設定値の選択範囲を広げ、チャネル信号を出力することができ、単純な構成で高精度にチャネル設定をすることができる。
【００６２】
さらに、この発明に係るチャネルスイッチのチャネル選定方法は、スイッチ位置に対応した直流電圧値を出力するステップ（Ｓ１）と、直流電圧値をディジタル値に変換するステップ（Ｓ２）と、ディジタル値とチャネル設定値の上限値および下限値を比較するステップ（Ｓ３）と、ディジタル値が上限値と下限値の間にあるか否かを判定するステップ（Ｓ４）と、チャネル設定値に対応したチャネル信号を出力するステップ（Ｓ５）とを備えたので、チャネル設定値の選択範囲を広げることができ、可変抵抗器やスイッチ構造にバラツキがあっても、バラツキを吸収してチャネル選定の安定性を向上させることができる。
【００６３】
また、この発明に係るスイッチは、摺動子の位置がチャネル選定位置に達した場合、クリック感を生成するクリック生成手段を備えたので、チャネル選定位置で確実にクリック感を生成してチャネル選定位置を設定できるので、チャネル選定位置の安定性を向上させることができる。
【図面の簡単な説明】
【図１】この発明に係るチャネルスイッチの一実施の形態概略構成図
【図２】この発明に係るチャネル信号選択手段の一実施の形態基本ブロック構成図
【図３】この発明に係る制御手段の一実施の形態要部ブロック構成図
【図４】この発明に係るチャネル信号選択手段の別実施の形態基本ブロック構成図
【図５】この発明に係るチャネルスイッチのチャネル選定方法の一実施の形態要部動作フロー図
【図６】この発明に係るスイッチの一実施の形態概略構成図
【図７】クリック生成手段を構成する２枚の板材
【図８】突起が位置設定穴に収容された断面図
【符号の説明】
１  チャネルスイッチ
２  スイッチ
３  シャフト
４  可変抵抗器
５  摺動子
６，１３  チャネル信号選択手段
７，１４  Ａ／Ｄ変換手段
８  制御手段
９  記憶手段
１０  演算手段
１０ａ，１０ｂ  減算手段
１０ｃ  合成手段
１１  判定手段
１２  アクセス手段
１５  比較手段
１５ａ，１５ｂ  演算増幅器
１５ｃ  排他的論理和ゲート
１６  選択信号出力手段
１７  クリック生成手段
１８  チャネル選定板
１８ａ  突起
１９  チャネル位置設定板
１９ａ  位置設定穴
【図１】
0003794477.tif 000002
【図２】
0003794477.tif 000003
【図３】
0003794477.tif 000004
【図４】
0003794477.tif 000005
【図５】
0003794477.tif 000006
【図６】
0003794477.tif 000007
【図７】
0003794477.tif 000008
【図８】
0003794477.tif 000009